(57)【要約】【課題】外部からの磁気を受けることにより、動作に影響を及ぼす部材の耐磁性能を確保しつつ、動作を視認可能とする時計を提供する。【解決手段】外部からの磁気により、動作に影響を受ける要耐磁要素１３を備えたムーブメント９を有する時計１００であって、要耐磁要素１３に対し文字板８側及び裏蓋ガラス５側の少なくとも一方に透明磁性体を配置する構成としていることで時計内部の機構の磁化を防ぎつつ、動き見せることができる効果を奏する。【選択図】図３
2020041903.tif 000002
【特許請求の範囲】
【請求項１】
外部からの磁気により、動作に影響を受ける要耐磁要素を備えたムーブメントと、裏蓋ガラスと、前記ムーブメントと風防ガラスの間に配置された文字板とを備え、前記裏蓋ガラス側又は前記文字板側から前記要耐磁要素が視認できる時計において、
前記要耐磁要素に対し、前記文字板側及び前記裏蓋ガラス側の少なくとも一方に透明磁性体を配置することを特徴とする時計。
【請求項２】
前記文字板の少なくとも一部が前記透明磁性体であることを特徴とする請求項１に記載の時計。
【請求項３】
前記文字板の前記要耐磁要素に対応する位置に開口部を設け、該開口部に前記透明磁性体を配置することを特徴とする請求項２に記載の時計。
【請求項４】
前記文字板は、透明ガラスであり、前記文字板の前記要耐磁要素に対応する位置に、前記透明磁性体を配置することを特徴とする請求項２に記載の時計。
【請求項５】
前記文字板の前記要耐磁要素に対応する位置に開口部を設け、前記文字板と前記ムーブメントの間に前記透明磁性体を配置することを特徴とする請求項１に記載の時計。
【請求項６】
前記透明磁性体の前記文字板の開口部に対応する位置に凸部を設け、前記文字板の開口部に前記透明磁性体の凸部を嵌め込むことを特徴とする請求項５に記載の時計。
【請求項７】
前記裏蓋ガラスの少なくとも前記要耐磁要素に対応する位置に、前記透明磁性体を配置することを特徴とする請求項１から６のいずれか一項に記載の時計。
【請求項８】
前記透明磁性体の前記要耐磁要素側に突出する凸部を設けたことを特徴とする請求項７に記載の時計。
【請求項９】
前記裏蓋ガラスと前記ムーブメントの間に前記透明磁性体を配置することを特徴とする請求項１から６のいずれか一項に記載の時計。
【発明の詳細な説明】
【技術分野】
【０００１】
本発明は、耐磁性能を有する時計に関する。
【背景技術】
【０００２】
従来、耐磁性能を有する時計として、裏蓋に耐磁性能を持たせる技術が知られている（たとえば、下記特許文献１参照）。また、裏蓋を透明部材にすることにより、時計内部の部材の動きを見せる技術が知られている（たとえば、下記特許文献２参照）。
【先行技術文献】
【特許文献】
【０００３】
【特許文献１】特開２００４−０８５４３４号公報（第３頁、図１）
【特許文献２】特開２００９−２５８１１０号公報（第５頁、図５）
【発明の概要】
【発明が解決しようとする課題】
【０００４】
しかしながら、上述した従来技術では、時計に耐磁性能を持たせたり、時計内部の部材の動きを見せたりすることができるが、時計内部の機構の磁化を防ぎつつ、動きを見せることができない問題がある。
【０００５】
本発明は、上述した従来技術による問題点を解消するため、時計内部の部材の磁化を防ぎつつ、動きを見せることができる時計を提供することを目的とする。
【課題を解決するための手段】
【０００６】
本発明に係る時計は、外部からの磁気により、動作に影響を受ける要耐磁要素を備えたムーブメントと、裏蓋ガラスと、ムーブメントと風防ガラスの間に配置された文字板とを備え、裏蓋ガラス側又は文字板側から要耐磁要素が視認できる時計において、要耐磁要素に対し、文字板側及び裏蓋ガラス側の少なくとも一方に透明磁性体を配置することを特徴とする。
【０００７】
これにより、要耐磁要素の磁化を防ぎつつ、文字板側又は裏蓋側から機構を視認できる構造を実現する。
【発明の効果】
【０００８】
本発明の時計によれば、時計内部の機構の磁化を防ぎつつ、動き見せることができる効果を奏する。
【図面の簡単な説明】
【０００９】
【図１】本発明に係る時計を示す断面図である。
【図２】本発明の第１の実施形態に係る時計を示す断面図である。
【図３】本発明の第２の実施形態に係る時計を示す断面図である。
【図４】本発明の第３の実施形態に係る時計を示す断面図である。
【図５】本発明の第４の実施形態に係る時計を示す断面図である。
【図６（ａ）】本発明の第４の実施形態における文字板の平面図である。
【図６（ｂ）】本発明の第４の実施形態における文字板の断面図である
【図７】本発明の第４の実施形態における透明磁性体の斜視図である。
【図８】本発明の第４の実施形態における文字板８とムーブメント９の間に透明磁性体を配置した様子を示す要部の断面図である。
【図９】本発明の第５の実施形態に係る時計を示す断面図である。
【図１０】本発明の第６の実施形態に係る時計を示す断面図である。
【図１１】本発明の第６の実施形態に係る時計を示す断面図である
【図１２】本発明の第６の実施形態の変形例に係る時計を示す断面図である。
【図１３】本発明の第７の実施形態に係る時計を示す断面図である。
【発明を実施するための形態】
【００１０】
以下に図面を参照して、この発明に係る時計の実施の形態を詳細に説明する。
各実施態様について、同一構成の部分には、同一の符号を付してその説明を省略する。  
【００１１】
［本発明に係る時計の構成］
図１、は本発明に係る時計を示す断面図である。
【００１２】
図１に示すように、時計１００は、要耐磁要素１３が配置されたムーブメント９と、ムーブメント９を固定する中枠１２と、ムーブメント９及び中枠１２を収納する胴１及びガラス縁２を有する円環状の時計ケース３と、時計ケース３の上面開口部を覆う風防ガラス４と、時計ケース３の下面開口部を覆う裏蓋ガラス５と裏蓋ガラス５の周辺部を保持する環状の裏蓋保持部材６とを備える裏蓋７と、ムーブメント９と風防ガラス４の間に設けられた文字板８と、ムーブメント９内から風防ガラス４側に突出した指針軸１０と、指針軸１０に取り付けられた指針１１を有している。要耐磁要素１３が対応するところの裏蓋ガラス５又は文字板８は、透明部材であったり開口部が形成されていたりするため、裏蓋ガラス５側又は文字板８側から要耐磁要素１３を視認することができるようになっている。  
【００１３】
裏蓋保持部材６の上面には内径側に突出する突出部１４が設けられており、裏蓋ガラス５の裏蓋保持部材６への固定は裏蓋保持部材６の裏蓋ガラス５を平面的に固定する箇所にパッキン１５を配置しておき、裏蓋ガラス５を裏蓋保持部材６の開口部に圧入し、裏蓋ガラス５の上面を突出部１４に突き当てることにより行われる。
【００１４】
次に、図１に図示したムーブメント９内の構造と要耐磁性要素１３に相当する部材の説明を機械式時計の場合とクォーツ式時計の場合に分けて説明する。
【００１５】
機械式時計におけるムーブメント９は、図示しない動力ゼンマイが収納された香箱と、指針を駆動する歯車群（２番車、３番車、４番車）と、歯車群を一定の速度で回転させるための脱進調速機（テンプ、アンクル、がんぎ車）という３つの部分から成り、すべて金属の機械部品（軸受などのルビーは除く。）で構成されている。機械式時計は香箱車に収められた動力ゼンマイの機械的エネルギーによって、ヒゲゼンマイが振り子の働きをするテンプの往復回転運動を駆動している。テンプの往復運動が等時性を保つように、ゼンマイの入った香箱車から動力を伝えられた歯車郡とテンプの間には、アンクルとがんぎ車という脱進機構と称される調速機が設けられている。
【００１６】
機械式時計におけるムーブメントに配置される部材の内、要耐磁要素１３に該当する部材はヒゲゼンマイ、テンプ、アンクル、ガンギなど鋼を使っている部材となり、要耐磁要素１３が外部からの磁気を受けることにより動作が停止することがある。特にヒゲゼンマイは、厚さ約３０μｍほどで薄くて弱いため、磁気の影響を受けやすい。
【００１７】
一方、クォーツ式時計におけるムーブメント９は、動力に電池、脱進調速機構に水晶振動子と電子回路を用いており、水晶に電圧を加えると起きる振動を電気信号に変換する。さらにその信号を回転運動に変えて歯車群（２番車、３番車、４番車）を動かしているという違いがある。電気信号を回転運動に変換する転換機としてステップモーターがあり、このステップモーターはローター、ステーター、コイルブロックから構成されている。ロー
ターはサマリウムコバルトや白金コバルトなどの材料でつくられており、ステーターやコイルブロックはパーマロイという磁気を良く通す材料で作られている。このコイルに駆動回路の信号によって１秒ごとに方向の異なる電流を流すことによって、ローターは１８０°回転し、ローターが歯車群を動かすことで秒針は、１秒１回のステップ運針をするという仕組みである。
【００１８】
クォーツ式時計におけるムーブメントに配置される部材の内、要耐磁要素１３に該当する部材は、ステップモーターを構成するローターがあり、外部からの磁気を受けることにより動作の進みや遅れや停止を発生することがある。
【００１９】
尚、要耐磁要素１３として上記部材を例として示したが、特にこれに限定されない。
【００２０】
［第１の実施形態］  
第１の実施形態に係る時計の構成について、図２を用いて説明する。
【００２１】
図２は、本実施形態に係る時計の断面図であり、文字板８の要耐磁要素１３に平面的に対応する位置に開口部１６を形成し、開口部１６に透明磁性体１７を配置する構成を示している。  
【００２２】
開口部１６の大きさは、要耐磁要素１３と平面的に同等又はそれ以上で、かつ文字板８の半径未満の範囲とする。
【００２３】
透明磁性体１７の大きさは、開口部１６と平面的に同等とし、透明磁性体１７の断面厚さは、文字板と同等の厚さとする。
【００２４】
文字板８の開口部１６への透明磁性体１７の配置は軽圧入などのはめ込み又は接着で固定している。なお、透明磁性体１７の断面厚さは指針の動作を妨げない程度に風防ガラス側に突出させてもよい。
【００２５】
透明磁性体１７は、酸化亜鉛自体を母体として鉄(Ｆｅ)、コバルト(Ｃｏ)、ニッケル(Ｎｉ)等の磁性元素を加えて酸化亜鉛に磁性を持たせる磁性体で構成されたもの（以下「磁性体母体型ガラス」という。）、又は磁性体をガラスに添加して構成されたもの（以下「磁性体添加型ガラス」という。）を用いることができる。
【００２６】
ここで、磁性体母体型ガラスは、磁性体添加型ガラスに比べて耐磁性能は高くなるが、強度は低くなる関係がある。
【００２７】
開口部１６に配置する透明磁性体１７は、高い強度を必要としないので、耐磁性能を考慮して磁性体母体型ガラスを使用する方が好ましい。
【００２８】
このような構成にすることにより、耐磁性能を確保しつつ、文字板の開口部１６から要耐磁要素１３の動きを視認することができる。
【００２９】
尚、文字板８自体の材質を耐磁性部材（たとえば純鉄やパーマロイ）としてもよい。文字板８自体の材質を耐磁性部材にすることにより、より耐磁性能を向上させることができる。
【００３０】
［第２の実施形態］  
第２の実施形態に係る時計の構成について、図３を用いて説明する。
【００３１】
図３は、本実施形態に係る時計の断面図であり、文字板８自体を透明磁性体１７とする構成を示している。  
【００３２】
文字板８自体を透明磁性体１７とする場合、文字板８は高い強度を必要としないので、耐磁性能を考慮して、先に記載した磁性体母体型ガラスを使用する方が好ましい。
【００３３】
このような構成にすることにより、部品点数と組立工数を増やすことなく、耐磁性能を確保しつつ、透明磁性体１７である文字板８を通して要耐磁要素１３の動きを視認することができる。
【００３４】
［第３の実施形態］
第３の実施形態に係る時計の構成について、図４を用いて説明する。
【００３５】
図４に示すように文字板８自体を通常の透明ガラス２８とし、文字板８の要耐磁要素１３に平面的に対応する位置の表面にのみ磁性体１８を添加する構成とするとしてもよい。その場合、透明磁性体１７は、磁性体添加型ガラスを使用することが好ましい。
【００３６】
このような構成にすることにより、要耐磁要素１３周りの耐磁性能を確保しつつ、部分的に磁性体１８を形成するので、コストを低く抑えることができる。
【００３７】
［第４の実施形態］
第４の実施形態に係る時計の構成について、図５を用いて説明する。
【００３８】
図５は、本実施形態に係る時計の断面図であり、文字板８の要耐磁要素１３に平面的に対応する位置に開口部１６を形成し、文字板８とムーブメント９の間に透明磁性体１７を配置する構成を示している。
【００３９】
図６(ａ)は、本実施形態における文字板８の平面図であり、図６(ｂ)は、図６(ａ)のＡ−Ａ断面図である。文字板８は、指針軸の逃げ穴２４と要耐磁要素１３に平面的に対応する位置に形成される開口部１６と一対の文字板支持足２２とを有している。
【００４０】
開口部１６の大きさは、先の実施形態と同様に、要耐磁要素１３と平面的に同等又はそれ以上で、かつ文字板８の半径未満の範囲とし、一対の文字板支持足２２は開口部１６を避けた位置で文字板８の外周面に設けられている。
【００４１】
図７は、本実施形態で用いた透明磁性体１７の斜視図であり、透明磁性体１７は、指針軸の逃げ穴１９、一対の文字板支持足２２の逃げ穴２０を有している。
【００４２】
図８は、本実施形態における文字板８とムーブメント９の間に透明磁性体１７を配置した様子を示す要部の断面図であり、透明磁性体１７の固定方法は、最初に文字板８の支足２２を透明磁性体１７の逃げ穴２０に差し込んだ状態で、ムーブメント９の文字板８の支持足２２を嵌め込む孔２５に支持足２２を嵌めこみ、ムーブメント９の支持足２２を位置決め固定するためのムーブメント９の外周部に設けられたねじ溝２６に、ねじ２７をねじ締めして平面方向と断面方向の位置決めを行い、固定する。
【００４３】
透明磁性体１７は、高い強度を必要としないので、耐磁性能を考慮して磁性体母体型ガラスを使用する方が好ましい。
【００４４】
このような構成にすることにより、文字板８の材料選定の自由度が増え、時計１００の組立難易度を上げることなく、耐磁性能を確保しつつ、文字板の開口部から要耐磁要素１３
の動きを視認することができる。
【００４５】
［第５の実施形態］  
第５の実施形態に係る時計の構成について、図９を用いて説明する。
【００４６】
図９は、本実施形態に係る時計の断面図であり、文字板８の要耐磁要素１３に平面的に対応する位置に開口部１６を形成するとともに、文字板８とムーブメント９の間に透明磁性体１７を配置する。この透明磁性体１７に凸部２１を設け、凸部２１を文字板８の開口部１６に嵌め込む構成を示している。
【００４７】
文字板開口部１６の大きさは、要耐磁要素１３と平面的に同等又はそれ以上で、かつ文字板８の半径未満の範囲とし、透明磁性体１７の凸部２１の平面的な大きさは開口部１６よりひとまわり小さく、一定の間隙をもった関係とし、凸部２１の断面厚さは指針１１の動きを妨げない程度に文字板上面より突出する厚さの範囲内とする。なお、透明磁性体１７の固定方法については、第３の実施形態と同様である。
【００４８】
透明磁性体１７は、高い強度を必要としないので、耐磁性能を考慮して磁性体母体型ガラスを使用する方が好ましい。
【００４９】
このような構成にすることにより、第４の実施形態よりも要耐磁要素１３の耐磁性能を強化することができる。
【００５０】
［第６の実施形態］
第６の実施形態に係る時計の構成について、図１０を用いて説明する。
【００５１】
図１０、は本実施形態に係る時計の断面図であり、裏蓋ガラス５自体を透明磁性体１７とする構成を示している。
【００５２】
裏蓋ガラス５自体を透明磁性体１７とする場合、裏蓋ガラス５は高い強度を必要とするので、強度性能を考慮して磁性体添加型ガラスを使用する方が好ましい。
【００５３】
このような構成にすることにより、通常の裏蓋スケルトン時計と比べても時計の厚みを増やすことなく、耐磁性能を確保しつつ、透明磁性体１７である裏蓋ガラス５を通して要耐磁要素１３の動きを視認することができる。
【００５４】
なお、図１１に図示するように、裏蓋ガラス５を通常の透明ガラス２８とし、要耐磁要素１３に平面的に対応する位置となる部分に限定して透明磁性体１７を配置しても良い。
【００５５】
その場合、透明磁性体１７は、磁性体添加型ガラスを使用することにし、裏蓋ガラス５の要耐磁要素１３に平面的に対応する位置に磁性体１８を添加する構成とする。
【００５６】
このような構成にすることにより、要耐磁要素１３周りの耐磁性能を確保しつつ、コストを低く抑えることができる。
【００５７】
［第６の実施形態の変形例］  
第６の実施形態の変形例に係る時計の構成について図１２を用いて説明する。
【００５８】
図１２は、本実施形態に係る時計の断面図であり、透明磁性体１７である裏蓋ガラス５自体の要耐磁要素１３側に凸部２３を設ける構成を示している。
【００５９】
凸部２３の平面的な大きさは裏蓋保持部材６における裏蓋ガラス５を断面的に位置決めする突出部１４の内径に干渉しない大きさとし、断面厚さは突出部１４の上面よりムーブメント側に突出しない範囲内とする。
【００６０】
裏蓋ガラス５自体を透明磁性体１７とする場合、裏蓋ガラス５は高い強度を必要とするので、強度性能を考慮して磁性体添加型を使用する方が好ましい。
【００６１】
このような構成にすることにより、耐磁性能をより向上させることができる。
【００６２】
［第７の実施形態］
第７の実施形態に係る時計の構成について、図１３を用いて説明する。
【００６３】
図１３は、本実施形態に係る時計の断面図であり、通常の透明ガラス２８の裏蓋ガラス５とムーブメント９の間に透明磁性体１７を配置する構成を示している。
【００６４】
透明磁性体１７は、中枠１２と裏蓋ガラス保持部材６で挟むことで断面・平面的に位置決め、固定される。
【００６５】
透明磁性体１７は、高い強度を必要としないので、耐磁性能を考慮して磁性体母体型ガラスを使用する方が好ましい。
【００６６】
このような構成にすることにより、第６の実施形態のように裏蓋ガラス５自体を透明磁性体１７とする場合に比べ、裏蓋ガラス部分の強度を低下させることなく、耐磁性能を確保しつつ、裏蓋側から裏蓋ガラス５を通して要耐磁要素１３の動きを視認することができる。
【００６７】
いずれの実施形態においても、要耐磁要素１３に対して文字板側又は裏蓋ガラス側のいずれか一方に透明磁性体を配置する例を示したが、文字板側と裏蓋ガラス側の両方に透明磁性体を配置しても構わない。そのように配置することによって一層耐磁性能を向上させることが可能である。
【符号の説明】
【００６８】
１  胴
２  ガラス縁
３  ケース
４  風防ガラス
５  裏蓋ガラス
６  裏蓋ガラス保持部材
７  裏蓋
８  文字板
９  ムーブメント
１０  指針軸
１１  指針（秒、分、時）
１２  中枠
１３  要耐磁要素
１４  裏蓋ガラス保持部材突出部
１５  パッキン
１６  開口部
１７  透明磁性体
１８  酸化亜鉛磁性体
１９  指針軸の逃げ穴（透明磁性ガラス）
２０  支持足用の逃げ穴
２１  透明磁性体の凸部（文字板側）
２２  文字板支持足
２３  透明磁性体の凸部（裏蓋側）
２４  指針軸の逃げ穴（文字板）
２５  支持足用の孔
２６  支持足用のねじ溝
２７  支持足用の止めねじ
２８  透明ガラス
【図１】
2020041903.tif 000003
【図２】
2020041903.tif 000004
【図３】
2020041903.tif 000005
【図４】
2020041903.tif 000006
【図５】
2020041903.tif 000007
【図６（ａ）】
2020041903.tif 000008
【図６（ｂ）】
2020041903.tif 000009
【図７】
2020041903.tif 000010
【図８】
2020041903.tif 000011
【図９】
2020041903.tif 000012
【図１０】
2020041903.tif 000013
【図１１】
2020041903.tif 000014
【図１２】
2020041903.tif 000015
【図１３】
2020041903.tif 000016